(57)【要約】【課題】緊急時における携帯端末の利便性を向上させることができるようにする。【解決手段】本発明に係る携帯端末に適用可能な携帯電話機においては、携帯電話機は、緊急メールを外部端末から受信し、メインディスプレイは、受信された緊急メールを表示し、制御部は、緊急メールが受信された旨をバイブレータやスピーカ、発光素子などを用いて通知し、緊急メールに対する確認操作がされるまでの間、予め設定された所定の時間ごとに、緊急メールが受信された旨を通知するように制御する。【選択図】  図１１
2009278560.tif 000002
【特許請求の範囲】
【請求項１】
第１のメールまたは、前記第１のメールと異なる第２のメールを受信する受信手段と、
前記受信手段により受信されたメールに含まれる判別情報と、予め記憶されている判別情報とが一致するか否かを判定する判定手段と、
前記判定手段により、受信されたメールに含まれる判別情報と、予め記憶されている判別情報とが一致すると判定された場合、受信されたメールが前記第１のメールであると判断し、前記第１のメール受信時における動作を実行するように制御する制御手段とを備えることを特徴とする携帯端末。
【請求項２】
緊急メールを外部端末から受信する受信手段と、
前記受信手段により前記緊急メールが受信された場合、前記緊急メールを表示する表示手段と、
前記緊急メールが受信された旨を通知する通知手段と、
前記緊急メールに対する確認操作がされるまでの間、予め設定された所定の時間ごとに、前記緊急メールが受信された旨を通知するように前記通知手段を制御する制御手段とを備えることを特徴とする携帯端末。
【請求項３】
緊急メールを外部端末から受信する受信手段と、
前記受信手段により受信された前記緊急メールを表示する表示手段と、
前記緊急メールが受信された旨を通知する通知手段と、
前記緊急メールに対する確認操作がされるまでの間、予め設定された所定の時間ごとに、携帯端末に関する位置情報を取得する取得手段と、
前記取得手段により取得された前記位置情報を前記外部端末に送信する送信手段とを備えることを特徴とする携帯端末。
【請求項４】
緊急メールを外部端末から受信する受信手段と、
前記受信手段により受信された前記緊急メールを表示する表示手段と、
前記緊急メールが受信された旨を通知する通知手段と、
前記表示手段による前記緊急メールの表示中に音声着信があった場合、前記緊急メールを表示するための表示画面を第１の表示領域に表示し、音声着信時における着信画面を第２の表示領域に表示するように前記表示手段を制御する表示制御手段とを備えることを特徴とする携帯端末。
【請求項５】
緊急メールを外部端末から受信する受信手段と、
前記受信手段により受信された前記緊急メールに含まれるキー情報と、予め記憶されているキー情報とが一致するか否かを判定する判定手段と、
前記判定手段により、受信された前記緊急メールに含まれるキー情報と、予め記憶されているキー情報とが一致すると判定された場合、前記緊急メール受信時における動作を実行するとともに、それ以外の場合、受信された前記緊急メールを破棄する又は通常のメールとして取り扱うように制御する制御手段とを備えることを特徴とする携帯端末。
【発明の詳細な説明】
【技術分野】
【０００１】
本発明は携帯端末に係り、特に、緊急時に、緊急用のメールの送受信を行うことができるようにした携帯端末に関する。
【背景技術】
【０００２】
近年、携帯端末としての携帯電話機には、単なる通話による通信機能だけでなく、アドレス帳機能、基地局やインターネットなどのネットワークを介したメール機能や、Ｗｅｂページなどを閲覧することが可能なブラウザ機能、さらにはオーディオデータを聞くことができる音楽制御機能や、地上波ディジタルワンセグ放送波を受信することができる機能などが搭載されるようになってきている。
【０００３】
最近では、携帯電話機は幅広い年齢層に普及しており、各国民が少なくとも１台ずつの携帯電話機を所有するようになってきている。そのため、自然災害などの緊急時において、ユーザ同士が携帯電話機を用いて連絡を取り合ったり、あるいは、地方公共団体などの自治体が災害の発生の連絡を各ユーザの携帯電話機に送信したりすることが考えられる。
【０００４】
なお、災害などの緊急事態が発生したときでも、ユーザが緊急の連絡を取れるように、バッテリの残量を確保することができる携帯電話機が知られている（例えば特許文献１参照）。特許文献１に提案されている技術によれば、デジタルテレビ受信回路が緊急警報信号を受信すると、制御回路は、使用禁止とする機能に対応する回路への電圧供給停止を、電源制御回路に指示し、このとき、段階的に使用禁止とする機能を増加させる。
【特許文献１】特開２００７−２４３７９３号公報
【発明の開示】
【発明が解決しようとする課題】
【０００５】
ところで、例えば地震などの緊急時において、各自治体が災害の発生の連絡を各ユーザの携帯電話機に送信する場合、送信相手であるユーザがお年寄りや子供などであるときには、たとえメールなどを用いて災害の発生の連絡をしたとしても、災害の発生やその後の動向に関して十分にユーザに報知することが困難であるという課題があった。具体的には、身体の健康状態が十分でないために寝たきりの状態にあるユーザに対して、各自治体が災害の発生の連絡を携帯電話機に送信したとしても、携帯電話機がユーザの手の届く場所に存在しないときには、携帯電話機に受信された災害の発生の連絡に関するメールを見ることができない場合も想定される。
【０００６】
本発明は、このような状況に鑑みてなされたものであり、緊急時における携帯端末の利便性を向上させることができる携帯端末を提供することを目的とする。
【課題を解決するための手段】
【０００７】
本発明の携帯端末は、上述した課題を解決するために、第１のメールまたは、第１のメールと異なる第２のメールを受信する受信手段と、受信手段により受信されたメールに含まれる判別情報と、予め記憶されている判別情報とが一致するか否かを判定する判定手段と、判定手段により、受信されたメールに含まれる判別情報と、予め記憶されている判別情報とが一致すると判定された場合、受信されたメールが第１のメールであると判断し、第１のメール受信時における動作を実行するように制御する制御手段とを備えることを特徴とする。
【０００８】
本発明の携帯端末は、上述した課題を解決するために、緊急メールを外部端末から受信する受信手段と、受信手段により緊急メールが受信された場合、緊急メールを表示する表示手段と、緊急メールが受信された旨を通知する通知手段と、緊急メールに対する確認操作がされるまでの間、予め設定された所定の時間ごとに、緊急メールが受信された旨を通知するように通知手段を制御する制御手段とを備えることを特徴とする。
【０００９】
本発明の携帯端末は、上述した課題を解決するために、緊急メールを外部端末から受信する受信手段と、受信手段により受信された緊急メールを表示する表示手段と、緊急メールが受信された旨を通知する通知手段と、緊急メールに対する確認操作がされるまでの間、予め設定された所定の時間ごとに、携帯端末に関する位置情報を取得する取得手段と、取得手段により取得された位置情報を外部端末に送信する送信手段とを備えることを特徴とする。
【００１０】
本発明の携帯端末は、上述した課題を解決するために、緊急メールを外部端末から受信する受信手段と、受信手段により受信された緊急メールを表示する表示手段と、緊急メールが受信された旨を通知する通知手段と、表示手段による緊急メールの表示中に音声着信があった場合、緊急メールを表示するための表示画面を第１の表示領域に表示し、音声着信時における着信画面を第２の表示領域に表示するように表示手段を制御する表示制御手段とを備えることを特徴とする。
【００１１】
本発明の携帯端末は、上述した課題を解決するために、緊急メールを外部端末から受信する受信手段と、受信手段により受信された緊急メールに含まれるキー情報と、予め記憶されているキー情報とが一致するか否かを判定する判定手段と、判定手段により、受信された緊急メールに含まれるキー情報と、予め記憶されているキー情報とが一致すると判定された場合、緊急メール受信時における動作を実行するとともに、それ以外の場合、受信された緊急メールを破棄する又は通常のメールとして取り扱うように制御する制御手段とを備えることを特徴とする。
【発明の効果】
【００１２】
本発明によれば、緊急時における携帯端末の利便性を向上させることができる。
【発明を実施するための最良の形態】
【００１３】
以下、本発明の実施の形態について、図面を参照しながら説明する。
【００１４】
図１は、本発明に係るネットワークシステム１の全体の構成を表している。図１に示されるように、ネットワークシステム１には、通信サービスの提供エリアを所望の大きさに分割したセル内にそれぞれ固定無線局である基地局３−１及至３−３が設置されている。この基地局３−１及至３−３には、移動無線局である携帯電話機２−１および２−２が例えばＷ−ＣＤＭＡ（Wideband-Code Division Multiple Access）と呼ばれる符号分割多元接続方式によって無線接続されており、例えば２［ＧＨｚ］の周波数帯の５［ＭＨｚ］帯域を利用して静止時に２［Ｍｂｐｓ］、移動時に３８４［Ｋｂｐｓ］のデータ転送速度で大容量データを高速にデータ通信することができる。
【００１５】
このように携帯電話機２−１または２−２は、Ｗ−ＣＤＭＡ方式によって大容量データを高速にデータ通信できることにより、音声通話だけでなく電子メールの送受信、簡易ホームページの閲覧、画像の送受信等の多種に及ぶデータ通信を実行できる。また、基地局３−１及至３−３は、有線回線を介して公衆回線網４に接続されており、公衆回線網４には、インターネットサービスプロバイダのアクセスサーバ５が接続されている。アクセスサーバ５には、ネットワーク６（例えば、インターネット、ＬＡＮ（Local Area Network）、ＷＡＮ（Wide Area Network）、その他の各種のネットワークを含む）を介して種々のサーバ７などが接続されている。また、ネットワークシステム１には、地震などの緊急時に、各ユーザの携帯電話機２に対して緊急メールを基地局３−３やネットワーク６などを介して送信する送信端末８が設置されている。この送信端末８は、例えば各自治体などにより管理されている。なお、送信端末８として携帯電話機２を代わりに用いるようにしてもよい。
【００１６】
なお、本発明の実施形態においては、説明を簡略化するために、携帯電話機２−１および２−２の２つが存在する場合について明示的に説明するが、このような場合に限られず、３つ以上の携帯電話機２が存在する場合についても本発明を適用することができる。また、携帯電話機２−１および２−２は、以下において、それぞれを個々に区別する必要がない場合、携帯電話機２と総称する。さらに、基地局３−１及至３−３は、以下において、それぞれを個々に区別する必要がない場合、基地局３と総称する。
【００１７】
図２は、本発明に係る携帯端末として適用可能な携帯電話機２の外観の構成を表している。なお、図２（Ａ）は、携帯電話機２を約１８０度に見開いたときの正面から見た外観の構成を表しており、図２（Ｂ）は、携帯電話機２を見開いたときの側面から見た外観の構成を表している。
【００１８】
図２（Ａ）および（Ｂ）に示されるように、携帯電話機２は、中央のヒンジ部１１を境に第１の筐体１２と第２の筐体１３とがヒンジ結合されており、ヒンジ部１１を介して矢印Ｘ方向に折り畳み可能に形成される。携帯電話機２の内部の所定の位置には、送受信用のアンテナ（後述する図４のアンテナ３１）が設けられており、内蔵されたアンテナを介して基地局３との間で電波を送受信する。
【００１９】
第１の筐体１２には、その表面に「０」乃至「９」の数字キー、発呼キー、リダイヤルキー、終話・電源キー、クリアキー、および電子メールキーなどの操作キー１４が設けられており、操作キー１４を用いて各種指示を入力することができる。
【００２０】
第１の筐体１２には、操作キー１４として上部に十字キーと確定キーが設けられており、ユーザが十字キーを上下左右方向に操作することにより当てられたカーソルを上下左右方向に移動させることができる。具体的には、第２の筐体１３に設けられたメインディスプレイ１７に表示されている電話帳リストや電子メールのスクロール動作、簡易ホームページのページ捲り動作および画像の送り動作などの種々の動作を実行する。
【００２１】
また、確定キーを押下することにより、種々の機能を確定することができる。例えば第１の筐体１２は、ユーザによる十字キーの操作に応じてメインディスプレイ１７に表示された電話帳リストの複数の電話番号の中から所望の電話番号が選択され、確定キーが第１の筐体１２の内部方向に押圧されると、選択された電話番号を確定して電話番号に対して発呼処理を行う。
【００２２】
さらに、第１の筐体１２には、十字キーと確定キーの左隣に電子メールキーが設けられており、電子メールキーが第１の筐体１２の内部方向に押圧されると、メールの送受信機能を呼び出すことができる。十字キーと確定キーの右隣には、ブラウザキーが設けられており、ブラウザキーが第１の筐体１２の内部方向に押圧されると、Ｗｅｂページのデータを閲覧することが可能となる。
【００２３】
また、第１の筐体１２には、操作キー１４の下部にマイクロフォン１５が設けられており、マイクロフォン１５によって通話時のユーザの音声を集音する。さらに、第１の筐体１２には、携帯電話機２の操作を行うサイドキー１６が設けられている。
【００２４】
なお、第１の筐体１２は、背面側に図示しないバッテリパックが挿着されており、終話・電源キーがオン状態になると、バッテリパックから各回路部に対して電力が供給されて動作可能な状態に起動する。
【００２５】
一方、第２の筐体１３には、その正面にメインディスプレイ１７が設けられており、電波の受信状態、電池残量、電話帳として登録されている相手先名や電話番号及び送信履歴等の他、電子メールの内容、簡易ホームページ、ＣＣＤ（Charge Coupled Device）カメラ（第２の筐体１３に設けられたＣＣＤカメラ２０−１、あるいは後述する図３のＣＣＤカメラ２０−２）で撮像した画像、外部のコンテンツサーバ７より受信したコンテンツ、メモリカード（後述する図４のメモリカード４６）に記憶されているコンテンツを表示することができる。また、メインディスプレイ１７の上部の所定の位置にはレシーバ（受話器）１８が設けられており、これにより、ユーザは音声通話することが可能である。なお、携帯電話機２の所定の位置には、レシーバ１８以外の音声出力部としてのスピーカ（図４のスピーカ５０）も設けられている。
【００２６】
また、第１の筐体１２と第２の筐体１３の内部の所定の位置には、携帯電話機２の状態を検知するための磁気センサ１９a、１９b、１９c、および１９dが設けられる。なお、メインディスプレイ１７は、例えば有機ＥＬにより構成されるディスプレイでもよいし、液晶ディスプレイ（Liquid Crystal Display）でもよい。さらに、第２の筐体１３の上部には、ＣＣＤカメラ２０−１が設けられている。これにより、所望の撮影対象を撮像することができる。なお、便宜上、第２の筐体１３に設けられたＣＣＤカメラ２０−１を「インカメラ」と呼び、後述する図３に示される第２の筐体１３に設けられたＣＣＤカメラ２０−２を「アウトカメラ」と呼ぶ。
【００２７】
図３は、本発明に係る携帯端末として適用可能な携帯電話機２の他の外観の構成を表している。図３の携帯電話機２の状態は、図２の携帯電話機２の状態から矢印Ｘ方向に回動させた状態である。なお、図３（Ａ）は、携帯電話機２を閉じたときの正面から見た外観の構成を表しており、図３（Ｂ）は、携帯電話機２を閉じたときの側面から見た外観の構成を表している。なお、図２（Ａ）および（Ｂ）に示される携帯電話機２の状態を「開いた状態」と呼び、図３（Ａ）および（Ｂ）に示される携帯電話機２の状態を「閉じた状態」と呼ぶ。
【００２８】
第２の筐体１３の上部には、ＣＣＤカメラ２０−２が設けられており、これにより、所望の撮影対象を撮像することができる。ＣＣＤカメラ２０−２の下部には、サブディスプレイ２１が設けられており、現在のアンテナの感度のレベルを示すアンテナピクト、携帯電話機２の現在の電池残量を示す電池ピクト、現在の時刻などが表示される。
【００２９】
図４は、本発明に係る携帯端末に適用可能な携帯電話機２の内部の構成を表している。基地局３から送信されてきた無線信号は、アンテナ３１で受信された後、アンテナ共用器（ＤＵＰ）３２を介して受信回路（ＲＸ）３３に入力される。受信回路３３は、受信された無線信号を周波数シンセサイザ（ＳＹＮ）３４から出力された局部発振信号とミキシングして中間周波数信号に周波数変換（ダウンコンバート）する。そして、受信回路３３は、このダウンコンバートされた中間周波数信号を直交復調して受信ベースバンド信号を出力する。なお、周波数シンセサイザ３４から発生される局部発振信号の周波数は、制御部４１から出力される制御信号ＳＹＣによって指示される。
【００３０】
受信回路３３からの受信ベースバンド信号は、ＣＤＭＡ信号処理部３６に入力される。ＣＤＭＡ信号処理部３６は、図示せぬＲＡＫＥ受信機を備える。このＲＡＫＥ受信機では、受信ベースバンド信号に含まれる複数のパスがそれぞれの拡散符号（すなわち、拡散された受信信号の拡散符号と同一の拡散符号）で逆拡散処理される。そして、この逆拡散処理された各パスの信号は、位相が調停された後、コヒーレントＲａｋｅ合成される。Ｒａｋｅ合成後のデータ系列は、デインタリーブおよびチャネル復号（誤り訂正復号）が行われた後、２値のデータ判定が行われる。これにより、所定の伝送フォーマットの受信パケットデータが得られる。この受信パケットデータは、圧縮伸張処理部３７に入力される。
【００３１】
圧縮伸張処理部３７は、ＤＳＰ（Digital Signal Processor）などにより構成され、ＣＤＭＡ信号処理部３６から出力された受信パケットデータを図示せぬ多重分離部によりメディアごとに分離し、分離されたメディアごとのデータに対してそれぞれ復号処理を行う。例えば通話モードにおいては、受信パケットデータに含まれる通話音声などに対応するオーディオデータをスピーチコーデックにより復号する。また、例えばテレビ電話モードなどのように、受信パケットデータに動画像データが含まれていれば、この動画像データをビデオコーデックにより復号する。さらに、受信パケットデータがダウンロードコンテンツであれば、このダウンロードコンテンツを伸張した後、伸張されたダウンロードコンテンツを制御部４１に出力する。
【００３２】
復号処理により得られたディジタルオーディオ信号はＰＣＭコーデック３８に供給される。ＰＣＭコーデック３８は、圧縮伸張処理部３７から出力されたディジタルオーディオ信号をＰＣＭ復号し、ＰＣＭ復号後のアナログオーディオデータ信号を受話増幅器３９に出力する。このアナログオーディオ信号は、受話増幅器３９にて増幅された後、レシーバ１８により出力される。
【００３３】
圧縮伸張処理部３７によりビデオコーデックにて復号されたディジタル動画像信号は、制御部４１に入力される。制御部４１は、圧縮伸張処理部３７から出力されたディジタル動画像信号に基づく動画像を、図示せぬビデオＲＡＭ（例えばＶＲＡＭなど）を介してメインディスプレイ１７に表示させる。なお、制御部４１は、受信された動画像データだけでなく、ＣＣＤカメラ２０−１またはＣＣＤカメラ２０−２により撮像された動画像データに関しても、図示せぬビデオＲＡＭを介してメインディスプレイ１７に表示させることも可能である。
【００３４】
また、圧縮伸張処理部３７は、受信パケットデータが電子メールである場合、この電子メールを制御部４１に供給する。制御部４１は、圧縮伸張処理部３７から供給された電子メールを記憶部４２に記憶させる。そして、制御部４１は、ユーザによる入力部としての操作キー１４の操作に応じて、記憶部４２に記憶されているこの電子メールを読み出し、読み出された電子メールをメインディスプレイ１７に表示させる。
【００３５】
一方、通話モードにおいて、マイクロフォン１５に入力された話者（ユーザ）の音声信号（アナログオーディオ信号）は、送話増幅器４０により適正レベルまで増幅された後、ＰＣＭコーデック３８によりＰＣＭ符号化される。このＰＣＭ符号化後のディジタルオーディオ信号は、圧縮伸張処理部３７に入力される。また、ＣＣＤカメラ２０−１またはＣＣＤカメラ２０−２から出力される動画像信号は、制御部４１によりディジタル化されて圧縮伸張処理部３７に入力される。さらに、制御部４１にて作成されたテキストデータである電子メールも、圧縮伸張処理部３７に入力される。
【００３６】
圧縮伸張処理部３７は、ＰＣＭコーデック３８から出力されたディジタルオーディオ信号を所定の送信データレートに応じたフォーマットで圧縮符号化する。これにより、オーディオデータが生成される。また、圧縮伸張処理部３７は、制御部４１から出力されたディジタル動画像信号を圧縮符号化して動画像データを生成する。そして、圧縮伸張処理部３７は、これらのオーディオデータや動画像データを図示せぬ多重分離部で所定の伝送フォーマットに従って多重化した後にパケット化し、パケット化後の送信パケットデータをＣＤＭＡ信号処理部３６に出力する。なお、圧縮伸張処理部３７は、制御部４１から電子メールが出力された場合にも、この電子メールを送信パケットデータに多重化する。
【００３７】
ＣＤＭＡ信号処理部３６は、圧縮伸張処理部３７から出力された送信パケットデータに対し、送信チャネルに割り当てられた拡散符号を用いてスペクトラム拡散処理を施し、スペクトラム拡散処理後の出力信号を送信回路（ＴＸ）３５に出力する。送信回路３５は、スペクトラム拡散処理後の信号をＱＰＳＫ（Quadrature Phase Shift Keying）方式などのディジタル変調方式を使用して変調する。送信回路３５は、ディジタル変調後の送信信号を、周波数シンセサイザ３４から発生される局部発振信号と合成して無線信号に周波数変換（アップコンバート）する。そして、送信回路３５は、制御部４１により指示される送信電力レベルとなるように、このアップコンバートにより生成された無線信号を高周波増幅する。この高周波増幅された無線信号は、アンテナ共用器３２を介してアンテナ３１に供給され、このアンテナ３１から基地局３に向けて送信される。
【００３８】
また、携帯電話機２は、外部メモリインタフェース４５を備えている。この外部メモリインタフェース４５は、メモリカード４６を着脱することが可能なスロットを備えている。メモリカード４６は、ＮＡＮＤ型フラッシュメモリカードやＮＯＲ型フラッシュメモリカードなどに代表されるフラッシュメモリカードの一種であり、１０ピン端子を介して画像や音声、音楽等の各種データの書き込み及び読み出しが可能となっている。さらに、携帯電話機２には、現在の正確な現在の時刻を測定する時計回路（タイマ）４７が設けられている。
【００３９】
制御部４１は、ＣＰＵ（Central Processing Unit）、ＲＯＭ（Read Only Memory）、およびＲＡＭ（Random Access Memory）などからなり、ＣＰＵは、ＲＯＭに記憶されているプログラムまたは記憶部４２からＲＡＭにロードされた、オペレーティングシステム（ＯＳ）を含む各種のアプリケーションプログラムに従って各種の処理を実行するとともに、種々の制御信号を生成し、各部に供給することにより携帯電話機２を統括的に制御する。ＲＡＭは、ＣＰＵが各種の処理を実行する上において必要なデータなどを適宜記憶する。
【００４０】
記憶部４２は、例えば、電気的に書換えや消去が可能な不揮発性メモリであるフラッシュメモリ素子やＨＤＤ（Hard Disc Drive）などからなり、制御部４１のＣＰＵにより実行される種々のアプリケーションプログラムや種々のデータ群を格納している。
【００４１】
電源回路４４は、バッテリ４３の出力を基に所定の動作電源電圧Ｖｃｃを生成して各回路部に供給する。また、地上波ディジタルワンセグ受信部４８は、図示せぬ放送局からの地上波ディジタルワンセグ放送波や地上波ディジタルラジオ放送波を受信し、受信された地上波ディジタルワンセグ放送波や地上波ディジタルラジオ放送波に基づくＴＳ（Transport Stream）信号を地デジ処理部４９に供給する。地デジ処理部４９は、地上波ディジタルワンセグ受信部４８にて地上波ディジタルワンセグ放送波が受信された場合、地上波ディジタルワンセグ受信部４８からの地上波ディジタルワンセグ放送波に基づくＴＳ信号から、音声データと映像データに関するＥＳ（Elementary Stream）にそれぞれ分離し、分離された音声データを地デジ処理部４９内の音声デコーダ（図示せず）にて所定の復号化方式でデコードするとともに、分離された映像データを地デジ処理部４９内の映像デコーダ（図示せず）にて所定の復号化方式でデコードし、デコード後のディジタル音声信号とディジタル動画像信号を制御部４１に供給する。
【００４２】
バイブレータ５１は、メールの着信時や着呼時などに、ユーザのその旨を通知するために所定の振動パターンで振動する。発光素子５４は、例えばＬＥＤ（Light Emitting Diode）などからなり、発光素子制御部５３の制御に従い、メールの着信時や着呼時などに、ユーザのその旨を通知するために所定の発光パターンで発光する。
【００４３】
また、図示せぬＧＰＳ衛星からのＧＰＳ波（ＧＰＳ情報）は、ＧＰＳ用アンテナ５２で受信される。このＧＰＳ情報には、例えばそれぞれのＧＰＳ衛星からの発信時刻情報が含まれている。その後、このＧＰＳ情報はＣＤＭＡ信号処理部３６を経由して制御部４１に入力される。そして、制御部４１にて、取得されたＧＰＳ情報を用いて、携帯電話機２の現在地を示す位置情報（緯度経度の情報）が計算され（例えば３つ乃至４つのＧＰＳ情報から計算することが望ましい）、携帯電話機２の現在地を示す位置情報が求められる。なお、このＧＰＳ情報に基づいて求められる位置情報として緯度経度を取得することが一般的であるが、更に緯度経度に対応した住所情報を取得するようにしてもよい。従って、「ＧＰＳ測位に基づく位置情報」とは、ＧＰＳ情報から計算された位置情報（例えば緯度経度情報）や、その情報に対応する住所情報などの情報も含むものとする。
【００４４】
また、携帯電話機２には、外部メモリインタフェース４５以外にも、例えばＵＳＢやイヤホン、充電器などの外部機器との接続ケーブル（図示せず）が装着される外部ポート５５が設けられている。
【００４５】
例えば地震などの緊急時において、各自治体が災害の発生の連絡を各ユーザの携帯電話機２に緊急メールとして送信する。図５は、本発明に係る緊急メールの送受信に関する概念図である。図５に示されるように、地震などの緊急時において、例えば各自治体が管理する送信端末８から、ユーザの携帯電話機２に対して緊急メールを送信する。ユーザの携帯電話機２が各自治体が管理する送信端末８からの緊急メールを受信した場合、現在、メインディスプレイ１７に表示されている画面が待ち受画面以外である場合であっても、緊急メールを受信した旨を表示する。具体的には、図５（Ａ）乃至（Ｃ）に示されるように、待ち受画面以外のメール表示中やブラウザ起動中であっても、図５（Ｄ）に示されるように「緊急メール  ＊＊＊で災害発生！！」などのような緊急メールが表示される。
【００４６】
このとき、ユーザに災害が発生したことを確実に知らせるために、例えば発光素子５４によるお知らせランプ点灯、スピーカ５０を用いた特殊受信音の鳴動、バイブレータ５１を用いた特殊な振動パターンでのバイブレータ振動、サブディスプレイ２１の点灯などを組み合わせて行うようにする。この場合における、受信側の携帯電話機２での緊急メール受信処理は、図６のフローチャートに示される。
【００４７】
図６のフローチャートを参照して、図４に示される、受信側の携帯電話機２における緊急メール受信処理について説明する。ステップＳ１において、携帯電話機２は、アンテナ３１及び受信回路３３などを介して、各自治体が管理する送信端末からの緊急メールを受信し、受信された緊急メールは制御部４１に出力される。ステップＳ２において、制御部４１は、受信された緊急メールを取得し、メインディスプレイ１７を制御し、メインディスプレイ１７に緊急メールを表示させる。メインディスプレイ１７は、制御部４１の制御に従い、現在表示している表示画面（例えば図５（Ａ）乃至（Ｃ））にかかわらず、例えば図５（Ｄ）に示されるように緊急メールを表示する。
【００４８】
ステップＳ３において、制御部４１は、発光素子５４によるお知らせランプ点灯、スピーカ５０を用いた特殊受信音の鳴動、バイブレータ５１を用いた特殊な振動パターンでのバイブレータ振動、サブディスプレイ２１の点灯などを組み合わせて行うように制御する。組み合わせは種々のパターンが考えられ、例えば、お知らせランプ点灯、受信音の鳴動、バイブレータ振動の全てを同時に行ってもよいし、順番に行ってもよい。また、最初はお知らせランプ点灯だけで、所定時間経過後に受信音の鳴動を追加起動し、さらに所定時間経過後にバイブレータ振動を追加起動してもよく、その順番も適宜変更し得る。
【００４９】
これにより、緊急メールの受信時に、現在表示されている画面に依存することなく、即座にユーザに災害が発生した旨を通知することができる。また、緊急メールの表示以外にも、発光素子５４によるお知らせランプ点灯、スピーカ５０を用いた特殊受信音の鳴動、バイブレータ５１を用いた特殊な振動パターンでのバイブレータ振動、サブディスプレイ２１の点灯などを組み合わせて、ユーザの聴覚、視覚、および触覚へ働きかけることで、より確実に災害が発生した旨をユーザに通知することができる。従って、ユーザが緊急メールの通知に気が付かないという状況が発生する確率を低減することができる。
【００５０】
ここで、緊急時に、各自治体が管理する送信端末８がユーザの携帯電話機２に送信する緊急メールのタイプについて説明する。緊急メールのタイプには、Ｅ−Ｍａｉｌを用いた第１のタイプと、ＳＭＳ（Short Message Service）を用いた第２のタイプがある。第１のタイプの場合、受信側の携帯電話機２にて緊急メールであることを判断することができるように、次の緊急メールマッチング条件が緊急メールの本文に含まれている。緊急マッチング条件として、（１）差出人アドレス（From Address。送信端末８の送信元アドレス）、（２）件名（例えば「緊急メール」など）、（３）本文の先頭の文字列（例えば「災害発生」など）が存在する。一方、第２のタイプの場合、次の緊急メールマッチング条件が緊急メールの本文に含まれている。緊急マッチング条件として、（１）センターアドレス（すなわち、図示せぬ事業者が管理するＳＭＳサーバのアドレス）、（２）差出人アドレス（From Address。送信端末８の送信元アドレス）、（３）本文の先頭の文字列（例えば「災害発生」など）が存在する。なお、差出人アドレスは書き換えが可能であるために「なりすまし」防止する観点から、第２のタイプの場合、書き換えが事実上不可能な（１）センターアドレスが、緊急メールマッチング条件に含まれている。
【００５１】
第１のタイプの場合、一般のユーザからも設定条件に合わせて緊急メールを作成することが可能であるため、適用範囲が広くなるというメリットがある。一方、第２のタイプの場合、緊急メールの内容を事業者側で集中管理するため、緊急メールに関する「なりすまし」を好適に防止することができるというメリットがある。なお、上記のように、緊急メールマッチング条件は、いくつかの条件を組み合わせることで確実に緊急メールとそれ以外のメールとを受信側で判断することができる。勿論、上記の条件以外にもマッチング条件として用いるようにしてもよい。
【００５２】
次に、図７のフローチャートを参照して、第１のタイプの場合に、受信側の携帯電話機２にて、マッチング条件が含まれた緊急メールと、それ以外の通常のメールとを判別して受信するメール受信処理について説明する。
【００５３】
ステップＳ２１において、携帯電話機２は、アンテナ３１及び受信回路３３などを介して、メール（各自治体が管理する送信端末からの緊急メール、または、緊急メール以外の通常のメール）を受信し、受信されたメールは制御部４１に出力される。ステップＳ２２において、制御部４１は、受信されたメールから差出人アドレスを抽出する。ステップＳ２３において、制御部４１は、抽出された差出人アドレスと、緊急メールマッチング条件として予め設定されている差出人アドレスとが一致するか否かを判定する。緊急メールマッチング条件として予め設定されている差出人アドレスは、例えば記憶部４２に記憶されている。以降説明するメールの件名およびメールの本文先頭の文字列に関しても、記憶部４２に予め記憶されている。
【００５４】
ステップＳ２３において制御部４１が、抽出された差出人アドレスと、緊急メールマッチング条件として予め設定されている差出人アドレスとが一致しないと判定した場合、処理はステップＳ３０に進む。ステップＳ３０において、制御部４１は、受信されたメールが通常のメールであると判断し、ステップＳ３１でユーザに通常のメールが受信された旨を通知するために、バイブレータ５１やスピーカ５０、発光素子５４を制御し、通常のメール受信時の動作を開始する。これにより、通常のバイブレーション処理、発光素子５４の点灯処理、スピーカ５０の受信音鳴動処理が実行される。
【００５５】
一方、ステップＳ２３において制御部４１が、抽出された差出人アドレスと、緊急メールマッチング条件として予め設定されている差出人アドレスとが一致すると判定した場合、制御部４１はステップＳ２４で、受信されたメールからメールの件名を抽出する。ステップＳ２５において、制御部４１は、抽出されたメールの件名と、緊急メールマッチング条件として予め設定されている件名（例えば「緊急メール」などの件名）とが一致するか否かを判定する。ステップＳ２４において制御部４１が、抽出されたメールの件名と、緊急メールマッチング条件として予め設定されている件名とが一致しないと判定した場合、処理はステップＳ３０に進み、通常のメールであると判断されるとともに、ステップＳ３１の処理が実行される。
【００５６】
一方、ステップＳ２４において制御部４１が、抽出されたメールの件名と、緊急メールマッチング条件として予め設定されている件名とが一致すると判定した場合、制御部４１はステップＳ２６で、受信されたメールからメールの本文先頭の文字列を抽出する。ステップＳ２７において、制御部４１は、抽出されたメールの本文先頭の文字列と、緊急メールマッチング条件として設定されている本文先頭の文字列（例えば「災害発生」など）とが一致するか否かを判定する。
【００５７】
ステップＳ２７において制御部４１が、抽出されたメールの本文先頭の文字列と、緊急メールマッチング条件として設定されている本文先頭の文字列とが一致しないと判定した場合、処理はステップＳ３０に進み、通常のメールであると判断されるとともに、ステップＳ３１の処理が実行される。一方、ステップＳ２７において制御部４１が、抽出されたメールの本文先頭の文字列と、緊急メールマッチング条件として設定されている本文先頭の文字列とが一致すると判定した場合、制御部４１はステップＳ２８で、予め設定されたいずれの緊急メールマッチング条件にも一致することから、受信されたメールが緊急メールであると判断し、ステップＳ２９でユーザに緊急メールが受信された旨を通知するために、メインディスプレイ１７を制御して緊急メールを表示させるとともに、バイブレータ５１やスピーカ５０、発光素子５４を制御し、緊急メール受信時の動作を開始する。この緊急メール受信時の動作は、図６のステップＳ２乃至Ｓ３の処理と同様である。また、緊急メール受信時の動作をステップＳ３１での通常のメール受信時の動作と異ならせることで、緊急メールであることをユーザに認識し易くできる。
【００５８】
図８のフローチャートを参照して、第２のタイプの場合に、受信側の携帯電話機２にて、マッチング条件が含まれた緊急メールと、それ以外の通常のメールとを判別して受信するメール受信処理について説明する。なお、図８のステップＳ５１乃至Ｓ６１の処理は、図７のステップＳ２１乃至Ｓ３１の処理と基本的には同様であり、重複する部分の説明は省略し、ステップＳＳ５２乃至５３の処理のみ説明する。
【００５９】
ステップＳ５２において、制御部４１は、受信されたメールからセンターアドレスを抽出する。ステップＳ５３において、制御部４１は、抽出されたセンターアドレスと、緊急メールマッチング条件として設定されているセンターアドレスとが一致するか否かを判定する。緊急メールマッチング条件として設定されているセンターアドレスは、例えば図示せぬＵＳＩＭカードや記憶部４２に記憶されている。なお、図７及び図８では、緊急メールマッチング条件は、複数の条件が全て一致したら緊急メールであると判断しているが、いずれか一つだけで判断してもよい。
【００６０】
ところで、例えば身体の健康状態が十分でないために寝たきりの状態にあるユーザに対して、各自治体が送信端末８から災害の発生の連絡を携帯電話機２に送信したとしても、携帯電話機２がユーザの手の届く場所に存在しないときには、携帯電話機２に受信された災害の発生の連絡に関する緊急メールを見ることができない場合も想定される。すなわち、送信端末８から緊急メールを携帯電話機２に送信したとしてもユーザに災害の発生を確実に伝えることができたと必ずしも言えない。そこで、ユーザが緊急メールを確認したか否かを判断するために、ユーザにより確認操作が行われた場合、受信側の携帯電話機２から緊急メールに対応する送達確認メールを送信するようにしてもよい。以下、この方法を用いた受信側の携帯電話機２における緊急メール受信時における送達確認メール送信処理について説明する。
【００６１】
図９のフローチャートを参照して、図４に示される、受信側の携帯電話機２における送達確認メール送信処理について説明する。なお、図９のステップＳ８１乃至Ｓ８３の処理は、図６のステップＳ１乃至Ｓ３の処理と同様であり、その説明は繰り返しになるので省略する。
【００６２】
ステップＳ８４において、制御部４１は、磁気センサ１９ａ乃至１９ｄを用いて、携帯電話機２の状態が閉じた状態から開いた状態にされたか否かを判定する。ステップＳ８４において制御部４１が、携帯電話機２の状態が閉じた状態から開いた状態にされたと判定した場合、制御部４１はステップＳ８５で、緊急メールの受信後にユーザによって緊急メールの確認操作が行われたと判断し、アンテナ３１および送信回路３５などを介して、送信端末８からの緊急メールに含まれる送信元アドレスを用いて、緊急メールに対応する送達確認メールを送信端末８に送信する。
【００６３】
一方、ステップＳ８４において制御部４１が、携帯電話機２の状態が閉じた状態から開いた状態にされていないと判定した場合、制御部４１はステップＳ８６で、ユーザにより操作キー１４のうちの特定のキー（緊急メール受信時に、発光素子５１によって背後から点灯されて、単独で照光しているキー。例えば「１」のキーなど）が押下されたか否か否かを判定する。なお、この特定のキーの点灯処理は、緊急メールが受信されたときにほぼ同時に実行される。
【００６４】
ステップＳ８６において制御部４１は、ユーザにより操作キー１４のうちの特定のキーが押下されていないと判定した場合、処理はステップＳ８４に戻り、ステップＳ８４以降の処理が繰り返し実行される。一方、ステップＳ８６において制御部４１はステップＳ８６で、ユーザにより操作キー１４のうちの特定のキーが押下されたと判定した場合、制御部４１は、緊急メールの受信後にユーザによって緊急メールの確認操作が行われたと判断し、ステップＳ８５の送達確認メール送信処理を実行する。
【００６５】
これにより、送信端末８を管理する自治体は、緊急メールの送信後に、受信側の携帯電話機２を保有するユーザが、受信された緊急メールを確認したのか否かを把握するだけでなく、緊急メールがユーザの携帯電話機２に確実に送達されたか否かを把握することができる。従って、ユーザに災害の発生を確実に伝えることができる。
【００６６】
なお、図６または図９の場合、緊急メール受信後に、緊急メールをメインディスプレイ１７に表示するようにしているが、ユーザが緊急メールを確認したにもかかわらず、いつまでも最優先度でメインディスプレイ１７に緊急メールを表示させ続けると、ユーザにとって不都合となる場合も考えられる。そこで、送信端末８から送信される緊急メールに画面表示期限に関する情報を付加するようにしておき、受信側の携帯電話機２にて、その画面表示期限に関する情報に基づいて緊急メールをメインディスプレイ１７に表示するようにしてもよい。以下、この方法を用いた携帯電話機２における緊急メール受信処理について説明する。
【００６７】
図１０のフローチャートを参照して、図４に示される、携帯電話機２における緊急メール受信処理について説明する。なお、図１０のステップＳ１０１乃至Ｓ１０３の処理は、図６のステップＳ１乃至Ｓ３の処理と同様であり、その説明は繰り返しになるので省略する。
【００６８】
ステップＳ１０４において、制御部４１は、受信された緊急メールに緊急メールの画面表示期限に関する情報（例えば２日後までの表示期限などに関する情報）が含まれているか否かを判定する。ステップＳ１０４において制御部４１が、受信された緊急メールに緊急メールの画面表示期限に関する情報が含まれていると判定した場合、制御部４１はステップＳ１０５で、緊急メールの画面表示期限に関する情報に基づいて、その画面表示期限まで、緊急メールをメインディスプレイ１７に最優先度で表示させ続ける。その後、画面表示期限が到来した場合、メインディスプレイ１７に表示されていた緊急メールは消去される。
【００６９】
一方、ステップＳ１０４において制御部４１が、受信された緊急メールに緊急メールの画面表示期限に関する情報が含まれていないと判定した場合、制御部４１はステップＳ１０６で、受信側の携帯電話機２にて予め設定されている、緊急メールの画面表示期限に関する情報に基づいて、その画面表示期限まで、緊急メールをメインディスプレイ１７に最優先度で表示させ続ける。その後、携帯電話機２にて設定さていた画面表示期限が到来した場合、メインディスプレイ１７に表示されていた緊急メールは消去される。
【００７０】
なお、緊急メールに緊急メールの画面表示期限に関する情報が含まれておらず、かつ、受信側の携帯電話機２にて画面表示期限も設定されていない場合、ユーザによる緊急メールの確認操作（図９のステップＳ８４乃至Ｓ８６の処理）後に、直ちに緊急メールの表示を消去するようにしてもよい。
【００７１】
ところで、先ほど述べたように、携帯電話機２がユーザの手の届く場所に存在しないときには、携帯電話機２に受信された災害の発生の連絡に関する緊急メールを見ることができない場合も想定される。そのため、図６のステップＳ３に示されるように、種々の手段を組み合わせてユーザに災害の発生を通知するようにしている。ところが、バイブレータ５１による振動や、発光素子５４による点灯でも、あまり長時間継続的に実行すると電力消費が増加してしまい、その結果、最終的に携帯電話機２の電源がＯＦＦとなってしまう可能性も考えられる。このような場合には、ユーザに如何に効率的に、かつ確実に災害の発生を通知するかという観点から見れば、バイブレータ５１による振動や、発光素子５４による点灯の長時間実行することは効果的ではなく、それよりも携帯電話機２の電池をより長持ちさせつつ、ユーザに必要に応じて効果的に災害の発生を通知する方が好ましい。そこで、ユーザによる緊急メールの確認が行われていない場合、一定時間ごとにバイブレータ５１による振動や、発光素子５４による点灯などを行い、その後一旦停止するようにする。これにより、ユーザに効率的に、かつ確実に災害の発生を通知することができる。以下、この方法を用いた緊急メール受信処理について説明する。
【００７２】
図１１のフローチャートを参照して、図４に示される、携帯電話機２における緊急メール受信処理について説明する。なお、図１１のステップＳ１２１乃至１２５、およびステップＳ１２７の処理は、図９のステップＳ８１乃至Ｓ８５の処理と同様であり、その説明は繰り返しになるので省略する。
【００７３】
ステップＳ１２６において、送達確認メール送信後に、制御部４１は、メインディスプレイ１７を制御し、緊急メールの表示を消去させるとともに、待ち受画面を表示させる。メインディスプレイ１７は、制御部４１の制御に従い、緊急メールの表示を消去するとともに、待ち受画面を表示する。
【００７４】
ステップＳ１２７において制御部４１が、ユーザにより操作キー１４のうちの特定のキーが押下されていないと判定した場合、制御部４１はステップＳ１２８で、スピーカ５０による特殊受信音の鳴動、バイブレータ５１による振動、発光素子５４の発光動作を一旦停止する。ステップＳ１２９において、制御部４１は、時計回路４７を用いて、緊急メール受信後にステップＳ１２８での通知動作の停止から予め設定された所定の時間（例えば１０分間など）が経過したか否かを判定し、予め設定された所定の時間が経過したと判定するまで待機する。ステップＳ１２８において制御部４１が、通知動作の停止から予め設定された所定の時間が経過したと判定した場合、制御部４１はステップＳ１３０で、スピーカ５０による特殊受信音の鳴動、バイブレータ５１による振動、発光素子５４の発光動作を所定の時間（例えば３分間など）行う。動作再開から所定の時間経過後、通知動作はまた停止され、その後、処理はステップＳ１２４に進む。なお、ステップＳ１２４およびステップＳ１２７の判定処理は、動作再開から所定の時間経過するまでの間も、並行して実行するようにしてもよい。
【００７５】
これにより、ユーザに効率的に、かつ確実に災害の発生を通知することができる。なお、スピーカ５０による特殊受信音の鳴動、バイブレータ５１による振動、発光素子５４の発光動作に関して、通知動作の開始から所定の時間（例えば１０分間）ごとに、その通知動作を大きくするようにしてもよいし、周期的に大きくしたり小さくしたりするようにしてもよい。つまり、ユーザに如何に効率的に災害の発生を通知するかという観点から、通知動作を設定する。
【００７６】
なお、ユーザへの災害発生の通知動作として、スピーカ５０による特殊受信音の鳴動、バイブレータ５１による振動、発光素子５４の発光動作などを明示的に記載したが、例えばメインディスプレイ１７に緊急メールを表示する際に、待ち受画面の壁紙を専用壁紙に変更するようにしてもよい。以下、この方法を用いた緊急メール受信処理について説明する。
【００７７】
図１２のフローチャートを参照して、図４に示される、携帯電話機２における他の緊急メール受信処理について説明する。なお、図１２のステップＳ１５１、およびステップＳ１５６の処理は、図６のステップＳ１およびステップＳ３と同様であり、その説明は繰り返しになるので省略する。
【００７８】
ステップＳ１５２において、制御部４１は、メインディスプレイ１７を制御し、待ち受画面上に表示されている壁紙を緊急メール受信時における専用壁紙に変更してメインディスプレイ１７に表示させる。メインディスプレイ１７は、制御部４１の制御に従い、待ち受画面上に表示されている壁紙を緊急メール受信時における専用壁紙に変更して表示する。例えば専用壁紙として全体的に赤色の壁紙などが好ましい。ステップＳ１５３において、制御部４１は、専用壁紙に緊急メールの本文を表示すると予め設定されているか否かを判定する。
【００７９】
ステップＳ１５３において制御部４１が、専用壁紙に緊急メールの本文を表示すると予め設定されていると判定した場合、制御部４１はステップＳ１５４で、メインディスプレイ１７を制御し、緊急メールの本文を専用壁紙に表示させる。このとき、緊急メールの本文（例えば「＊＊＊で災害が発生！！」など）をアニメーション（動画像）で自動スクロールにて表示するようにしてもよい。このとき、専用壁紙に表示される緊急メールの本文の文字列は色つき文字列にしてもよいし、通常よりもサイズの大きい文字列にするようにしてもよい。これにより、ユーザは、緊急メールの内容を操作することなく確認することができ、緊急時における携帯電話機２の利便性を向上させることができる。一方、ステップＳ１５３において制御部４１が、専用壁紙に緊急メールの本文を表示すると予め設定されていないと判定した場合、制御部４１はステップＳ１５５で、メインディスプレイ１７を制御し、緊急メールを受信した旨をアイコンなどで専用壁紙に表示させる。
【００８０】
ステップＳ１５７において、制御部４１は、送達確認メールが送信済みか否かを判定する。すなわち、制御部４１は、携帯電話機２の状態が閉じた状態から開いた状態にされたか、あるいは、特定のキーが押下されたか否かを判定することにより、その後において送達確認メールが送信端末８に送信されたか否かを判定する（図９のステップ８４およびステップＳ８６の処理と同様）。ステップＳ１５７において制御部４１が、送達確認メールが送信済みではないと判定した場合、処理はステップＳ１５２に戻り、ステップＳ１５２以降の処理が繰り返し実行される。
【００８１】
一方、ステップＳ１５２において制御部４１が、送達確認メールが送信済みであると判定した場合、制御部４１はステップＳ１５８で、メインディスプレイ１７を制御し、予め設定された通常の壁紙を待ち受画面に表示させる。メインディスプレイ１７は、制御部４１の制御に従い、予め設定された通常の壁紙を待ち受画面に表示する。
【００８２】
これにより、ユーザに災害が発生した旨をより確実に通知することができる。
【００８３】
ところで、例えば身体の健康状態が十分でないために寝たきりの状態にあるユーザや、視力が衰えてきているユーザなどを考慮して、緊急メールを携帯電話機２にて受信した場合、緊急メールの本文の内容を音声読み上げするようにしてもよい。以下、この方法を用いたメール受信処理について説明する。
【００８４】
図１３のフローチャートを参照して、図４に示される、受信側の携帯電話機２における他のメール受信処理について説明する。
【００８５】
ステップＳ１７１において、携帯電話機２は、アンテナ３１及び受信回路３３などを介して、メール（各自治体が管理する送信端末からの緊急メール、または、緊急メール以外の通常のメール）を受信し、受信されたメールは制御部４１に出力される。ステップＳ１７２において、制御部４１は、受信されたメールに含まれる差出人アドレスや件名などに基づいて、受信されたメールが緊急メールであるか否かを判定する（図７または図８に示される緊急メール判定処理と同様）。ステップＳ１７２において制御部４１が、受信されたメールが緊急メールであると判定した場合、ステップＳ１７３乃至Ｓ１７４にて緊急メールの表示処理と通知動作処理が実行される（図６のステップＳ２乃至Ｓ３の処理と同様）。
【００８６】
ステップＳ１７５において、制御部４１は、携帯電話機２のモードがマナーモードに予め設定されているか否かを判定する。ステップＳ１７５において制御部４１が、携帯電話機２のモードがマナーモードに予め設定されていると判定した場合、制御部４１はステップＳ１７６で、予め設定されているマナーモードを解除する。ステップＳ１７５において制御部４１が、携帯電話機２のモードがマナーモードに予め設定されていないと判定した場合、ステップＳ１７６の処理はスキップされる。
【００８７】
ステップＳ１７７において、制御部４１は、受信された緊急メールの本文の内容に関して音声読み上げを行う。具体的には、制御部４１は、緊急メールの本文の内容に含まれるテキストデータを、音声データに変換し、変換された音声データに基づく音声を、ＰＣＭコーデック３８およびスピーカ５０を介して出力する。例えば「＊＊＊で災害発生」などのような音声がスピーカ５０から出力される。
【００８８】
ステップＳ１７８において、制御部４１は、ＰＣＭコーデック３８およびスピーカ５０を介した音声出力（音声読み上げ）が終了したか否かを判定し、ＰＣＭコーデック３８およびスピーカ５０を介した音声出力（音声読み上げ）が終了したと判定するまで待機する。ステップＳ１７８において制御部４１が、ＰＣＭコーデック３８およびスピーカ５０を介した音声出力（音声読み上げ）が終了したと判定した場合、制御部４１はステップＳ１７９で、携帯電話機２のモードがマナーモードに設定されていたかを判定する。
【００８９】
ステップＳ１７９において制御部４１が、携帯電話機２のモードがマナーモードに設定されていたと判定した場合、制御部４１はステップＳ１８０で、携帯電話機２のモードをマナーモードに再設定する。一方、ステップＳ１７９において制御部４１が、携帯電話機２のモードがマナーモードに設定されていなかったと判定した場合、ステップＳ１８０の処理はスキップされる。これにより、ユーザは、緊急メールを聴覚を利用して確認し、災害の発生を把握することができる。
【００９０】
一方、ステップＳ１７２において制御部４１が、受信されたメールが緊急メールではないと判定した場合、制御部４１はステップＳ１８１で、受信されたメールが通常のメールであることから、メールの内容に関する音声読み上げを省略する。
【００９１】
ところで、前述したように、携帯電話機２がユーザの手の届く場所に存在しないときには、携帯電話機２に受信された災害の発生の連絡に関する緊急メールを見ることができない場合も想定される。このような場合には、ユーザに災害が発生した旨を確実に通知すべく、より大音量で特殊受信音を出力するようにしてもよい。例えば携帯電話機２が図示せぬ充電器にＵＳＢやコネクタを介して接続されている場合に、充電器に予め設けられたスピーカ（図示せず）を用いて特殊受信音を出力させるように制御してもよい。以下、この方法を用いた緊急メール受信処理について説明する。
【００９２】
図１４のフローチャートを参照して、図４に示される、受信側の携帯電話機２における他の緊急メール受信処理について説明する。なお、図１４のステップＳ１９１乃至Ｓ１９２の処理は、図６のステップＳ１乃至Ｓ２の処理と同様であり、説明は繰り返しになるので省略する。
【００９３】
ステップＳ１９３において、制御部４１は、携帯電話機２のモードがマナーモードに予め設定されているか否かを判定する。ステップＳ１９３において制御部４１が、携帯電話機２のモードがマナーモードに予め設定されていると判定した場合、制御部４１はステップＳ１９４で、予め設定されているマナーモードを解除する。ステップＳ１９３において制御部４１が、携帯電話機２のモードがマナーモードに予め設定されていないと判定した場合、ステップＳ１９４の処理はスキップされる。
【００９４】
ステップＳ１９５において、制御部４１は、記憶部４２に予め記憶されている緊急メール受信時における特殊受信音に関するデータを読み出し、緊急メールの受信をユーザに通知させるために、読み出された緊急受信時における特殊受信音に関するデータに基づいて特殊受信音をＰＣＭコーデック３８およびスピーカ５０を介して出力させる。ステップＳ１９６において、制御部４１は、外部ポート５５を介して携帯電話機２に充電器（図示せず）が装着されているか否かを判定する。
【００９５】
ステップＳ１９６において制御部４１が、外部ポート５５を介して携帯電話機２に充電器が装着されていると判定した場合、制御部４１はステップＳ１９７で、充電器に予め設けられている大音量で音声出力可能なスピーカ（図示せず）を用いて特殊受信音を出力させる。すなわち、制御部４１は、外部ポート５５を介して緊急メール受信時における特殊受信音に関するデータを充電器のスピーカに転送し、充電器のスピーカにて緊急メール受信時における特殊受信音に関するデータに基づく特殊受信音を出力させる。一方、ステップＳ１９６において制御部４１が、外部ポート５５を介して携帯電話機２に充電器が装着されていないと判定した場合、ステップＳ１９７の処理はスキップされる。
【００９６】
ステップＳ１９８において、制御部４１は、ユーザに対する緊急メールを受信した旨の通知が終了したか否かを判定する。例えば充電器のスピーカから特殊受信音の出力が完了していない場合には、ユーザに対する緊急メールを受信した旨の通知が終了していないと判定される。ステップＳ１９８において制御部４１が、ユーザに対する緊急メールを受信した旨の通知が終了したと判定した場合、制御部４１はステップＳ１９９で、携帯電話機２のモードがマナーモードに設定されていたかを判定する。ステップＳ１９９において制御部４１が、携帯電話機２のモードがマナーモードに設定されていたと判定した場合、制御部４１はステップＳ２００で、携帯電話機２のモードをマナーモードに再設定する。一方、ステップＳ１９９において制御部４１が、携帯電話機２のモードがマナーモードに設定されていなかったと判定した場合、ステップＳ２００の処理はスキップされる。
【００９７】
これにより、騒音時に緊急メールを受信した場合や聴覚に障害を抱えるユーザに対して、災害が発生したことをより確実に通知することができる。
【００９８】
なお、第１のタイプと第２のタイプのいずれの緊急メールに対しても、オプション的な文字列を付加することができる。例えば緊急メール受信後に遠隔監視モードを起動するか否かに関する文字列、緊急メール受信後に折り返しの音声電話またはＴＶ電話を行うか否かに関する文字列、緊急メール受信後に返信メールをするか否かに関する文字列などを付加する。
【００９９】
これにより、例えば図１５に示されるように、緊急メールに、緊急メール受信後に折り返しの音声電話またはＴＶ電話を行うか否かに関する文字列を付加しておき、受信側の携帯電話機２にて緊急メールの受信後、自動的に送信端末８に対して折り返しの音声電話またはＴＶ電話を行うことができる。従って、緊急メールの送信後、ユーザが何ら操作することなく送信元と直ちに連絡を取ることができる。また、図１６に示されるように、緊急メールに、緊急メール受信後に返信メールするか否かに関する文字列を付加しておき、受信側の携帯電話機２にて緊急メールの受信後、自動的に送信端末８に対して返信を行うことができる。以下、この方法を用いた送信端末８における緊急メール送信処理について説明する。なお、以下においては、説明を簡略化するために、遠隔監視起動させる場合について明示的に記載するが、折り返しＴＶ電話する場合や返信メールをする場合についても基本的には同様である。
【０１００】
図１７のフローチャートを参照して、図１の送信端末８における緊急メール送信処理について説明する。
【０１０１】
ステップＳ２２１において、送信端末８は、例えば自治体に帰属するオペレータにより受信側の携帯電話機２を遠隔監視起動させるとの指示が受け付けられたか否かを判定することで、受信側の携帯電話機２を遠隔監視起動させるか否かを判定する。ステップＳ２２１において２２１において送信端末８が、受信側の携帯電話機２を遠隔監視起動させると判定した場合、送信端末８はステップＳ２２２で、受信側の携帯電話機２を遠隔監視起動させるための遠隔監視起動情報（すなわち、例えば緊急メール受信後に遠隔監視モードを起動するか否かに関する文字列に関する情報）を緊急メールに付加する。ステップＳ２２３において、送信端末８は、遠隔監視情報を付加した緊急メールを公衆回線網４やネットワーク６を介してユーザの携帯電話機２に送信する。一方、ステップＳ２２１において送信端末８が、受信側の携帯電話機２を遠隔監視起動させないと判定した場合、送信端末８は、遠隔監視情報を付加しない通常の緊急メールを公衆回線網４やネットワーク６を介してユーザの携帯電話機２に送信する。
【０１０２】
図１８のフローチャートを参照して、図４に示される、携帯電話機２における他の緊急メール受信処理について説明する。なお、図１８のステップＳ２５１乃至Ｓ２５３の処理は、図６のステップＳ１乃至Ｓ３の処理と同様であり、その説明は繰り返しになるので省略する。
【０１０３】
ステップＳ２５４において、制御部４１は、受信された緊急メールに遠隔監視起動情報（すなわち、例えば緊急メール受信後に遠隔監視モードを起動するか否かに関する文字列に関する情報）が含まれているか否かを判定する。ステップＳ２５４において制御部４１が、受信された緊急メールに遠隔監視起動情報が含まれていないと判定した場合、制御部４１はステップＳ２５５で、送達確認メールが送信済みか否かを判定する。すなわち、制御部４１は、携帯電話機２の状態が閉じた状態から開いた状態にされたか、あるいは、特定のキーが押下されたか否かを判定することにより、その後において送達確認メールが送信端末８に送信されたか否かを判定する（図９のステップ８４およびステップＳ８６の処理と同様）。ステップＳ１５７において制御部４１が、送達確認メールが送信済みではないと判定した場合、処理はステップＳ２５４に戻り、ステップＳ２５４以降の処理が繰り返し実行される。
【０１０４】
ステップＳ２５４において制御部４１が、受信された緊急メールに遠隔監視起動情報が含まれていると判定した場合、制御部４１は、緊急メールに含まれる遠隔監視起動情報に基づいて、遠隔監視起動を開始する。具体的には、制御部４１は、アンテナ３１および送信回路３５などを介して、ＴＶ電話機能を起動し、予め携帯電話機２にて登録された発信先の電話番号情報に対してＴＶ電話発信を行う。
【０１０５】
ステップＳ２５７において、制御部４１は、磁気センサ１９ａ乃至１９ｄを用いて、携帯電話機２の状態が閉じた状態であるか否かを判定する。ステップＳ２５７において制御部４１が、携帯電話機２の状態が閉じた状態であると判定した場合、制御部４１はステップＳ２５８で、アウトカメラであるＣＣＤカメラ２０−２を制御し、ＣＣＤカメラ２０−２を用いた撮像による遠隔監視動作を開始する。すなわち、ＣＣＤカメラ２０−２によって逐次撮像される画像信号がディジタル化された上で、圧縮伸張処理部３７にて圧縮符号化されるとともに、アンテナ３１および送信回路３５などを介して送信端末８に送信される。一方、ステップＳ２５７において制御部４１が、携帯電話機２の状態が開いた状態であると判定した場合、制御部４１はステップＳ２５９で、インカメラであるＣＣＤカメラ２０−１を制御し、ＣＣＤカメラ２０−１を用いた撮像による遠隔監視動作を開始する。すなわち、ＣＣＤカメラ２０−１によって逐次撮像される画像信号がディジタル化された上で、圧縮伸張処理部３７にて圧縮符号化されるとともに、アンテナ３１および送信回路３５などを介して送信端末８に送信される。
【０１０６】
これにより、緊急時に、ユーザの周囲の画像を緊急メールの送信元で容易に取得することができる。
【０１０７】
勿論、発信のタイミングはユーザの緊急メールの確認操作のときに設定するようにしてもよい。また、図１８の処理においては、アウトカメラとインカメラを携帯電話機２の状態によって使い分けるようにしたが、緊急メール受信時にユーザが選択の指示をすることでアウトカメラとインカメラを使い分けるようにしてもよい。なお、無線ＬＡＮなどの通信手段を用いて撮像され画像を送信端末８に送信するようにしてもよい。
【０１０８】
さらに、携帯電話機２に予め設定された発信元に対してＴＶ電話を開始するのではなく、緊急メールに付加された発信元電話番号情報に基づいて、携帯電話機２側のＴＶ電話の自動応答設定を変更するようにしてもよい。
【０１０９】
これにより、通常時に盗撮防止などのためにＴＶ電話の発信元を制限している場合などにおいても、発信元電話番号情報を送信する送信端末８から積極的にその制限の解除を行った上でＴＶ電話による通話を開始することができる。また、携帯電話機２側にてＴＶ電話の自動応答に設定されていない場合であっても、送信端末８からの発信元電話番号情報によってＴＶ電話の自動応答をさせることができる。
【０１１０】
ところで、緊急時に携帯電話機２にて緊急メールを受信した後、緊急メールをメインディスプレイ１７に表示するが、この緊急メールの表示中に音声着信があった場合、ハンズフリーによってスピーカ５０から音声通話を開始するようにしてもよい。この方法を用いた緊急メール受信処理について説明する。
【０１１１】
図１９のフローチャートを参照して、図４に示される、携帯電話機２における他の緊急メール受信処理について説明する。なお、図１９のステップＳ２７１乃至Ｓ２７３の処理は、図６のステップＳ１乃至Ｓ３の処理と同様であり、その説明は繰り返しになるので省略する。
【０１１２】
ステップＳ２７４において、制御部４１は、緊急メールの表示中に音声通話の着信があったか否かを判定し、緊急メールの表示中に音声通話の着信があったと判定するまで待機する。ステップＳ２７４において制御部４１が、緊急メールの表示中に音声通話の着信があったと判定した場合、制御部４１はステップＳ２７５で、携帯電話機２にて予めハンズフリーに設定されているか否かを判定する。ステップＳ２７５において制御部４１が、携帯電話機２にて予めハンズフリーに設定されていると判定した場合、制御部４１はステップＳ２７６で、メインディスプレイ１７における緊急メールの表示を維持しつつ、ＰＣＭコーデック３８およびスピーカ５０などを介してハンズフリーにて音声通話を開始する。一方、ステップＳ２７５において制御部４１が、携帯電話機２にて予めハンズフリーに設定されていないと判定した場合、制御部４１は、ＰＣＭコーデック３８およびレシーバ１８などを介して通常の音声通話を開始する。その後、ステップＳ２７８において、制御部４１は、ユーザにより終話キーが押下されたりするなどによって、音声通話が終了したか否かを判定し、音声通話が終了したと判定するまで待機する。ステップＳ２７８において制御部４１が、音声通話が終了したと判定した場合、音声通話処理は終了する。
【０１１３】
これにより、緊急メールの表示中に音声着信があった場合に、ユーザが携帯電話機２を操作することができない状況であっても、ハンズフリーによって音声通話することが可能となる。なお、ステップＳ２７５及至ステップＳ２７７で、携帯電話機２にて予めハンズフリーに設定されているか否かでハンズフリーの音声通話にするか、通常の音声通話にするかを変えているが、緊急メールの表示中に音声通話着信があった場合は、常にハンズフリーの音声通話となるようにしてもよい。
【０１１４】
なお、緊急メールの内容を表示している最中に音声着信があった場合、着信画面に直ちに移行してしまうと、確認中の緊急メールが非表示になってしまい、その内容を十分に確認することができない。一方、重要な用件の電話であれば、短時間に頻繁に、あるいは、長時間の呼び出しを行うと考えられる。そこで、短時間に頻繁に、あるいは、長時間の呼び出しを行う場合以外においては、携帯電話機２が緊急メール受信処理中であれば着信画面への移行を行わないようにする。これにより、緊急メールの内容の確認中に画面遷移を好適に防止することができる。以下、この方法を用いた緊急メール受信処理について説明する。
【０１１５】
図２０のフローチャートを参照して、図４に示される、携帯電話機２における他の緊急メール受信処理について説明する。なお、図２０のステップＳ２９１乃至Ｓ２９３の処理は、図６のステップＳ１乃至Ｓ３の処理と同様であり、その説明は繰り返しになるので省略する。
【０１１６】
ステップＳ２９４において、制御部４１が、緊急メールの表示中に音声通話の着信があったか否かを判定し、緊急メールの表示中に音声通話の着信があったと判定するまで待機する。ステップＳ２９４において制御部４１が、緊急メールの表示中に音声通話の着信があったと判定した場合、制御部４１はステップＳ２９５で、同一人物（同一発信元）からの着信であるか否かを判定する。ステップＳ２９５において制御部４１が、同一人物からの着信であると判定した場合、制御部４１はステップＳ２９８で、所定時間内（例えば５分間など）での同一人物（同一発信元）からの着信が所定回数（例えば３回など）以上あるか否かを判定する。ステップＳ２９８において制御部４１が、所定時間内で同一人物からの着信が所定回数以上あると判定した場合、制御部４１はステップＳ２９７で、メインディスプレイ１７に着信画面を表示させる。なお、表示以外の着信通知処理を行なうのでもよい。
【０１１７】
ステップＳ２９８において制御部４１が、所定時間内で同一人物からの着信が所定回数以上ではないと判定した場合、処理はステップＳ２９４に戻る。一方、ステップＳ２９５において制御部４１が、同一人物からの着信ではないと判定した場合、制御部４１はステップＳ２９６で、時計回路４７を用いて、着信から予め設定された所定の時間（例えば３分間など）が経過したか否かを判定し、着信から予め設定された所定の時間が経過したと判定するまで待機する。ステップＳ２９６において制御部４１が、着信から予め設定された所定の時間が経過したと判定した場合、処理はステップＳ２９７に進み、着信画面の表示処理が行われる。なお、同一人物からの着信が予め設定された時間経過した場合にのみ、着信画面の表示や着信通知を行なうようにしてもよい。
【０１１８】
これにより、緊急メールの内容の確認中に画面遷移を好適に防止することができる。
【０１１９】
また、緊急時にユーザが、携帯電話機２が存在する場所以外の場所（例えば自宅などに設置された図示せぬ固定電話機が存在する場所）にいる場合も考えられる。このような場合には、緊急メールを受信した携帯電話機２から固定電話機に発信を行うようにしてもよい。以下、この方法を用いた緊急メール受信処理について説明する。
【０１２０】
図２１のフローチャートを参照して、図４に示される、携帯電話機２における他の緊急メール受信処理について説明する。なお、図２１のステップＳ３１１乃至Ｓ３１３の処理は、図６のステップＳ１乃至Ｓ３の処理と同様であり、その説明は繰り返しになるので省略する。
【０１２１】
ステップＳ３１４において、制御部４１は、固定電話発信設定がＯＮ（有効）にされているか否かを判定する。ステップＳ３１４において制御部４１が、固定電話発信設定がＯＮ（有効）にされていると判定した場合、制御部４１はステップＳ３１５で、発信先の固定電話機の電話番号が予め登録されているか否かを判定する。ステップＳ３１５において制御部４１が、発信先の固定電話機の電話番号が予め登録されていると判定した場合、制御部４１はステップＳ３１６で、アンテナ３１および送信回路３５などを介して、予め登録されている発信先の固定電話に対して発信する。その後、ステップＳ３１７において、制御部４１は、発信先の固定電話機との間で通話処理を開始する。ステップＳ３１８において、制御部４１は、記憶部４２に予め記憶されている緊急時に固定電話機に転送する音声メッセージに関するデータを読み出し、読み出された音声メッセージに関するデータを固定電話機に送信する。この音声メッセージに関するデータには、例えば緊急事態の発生に関する音声メッセージ（「災害が発生しました」）や、携帯電話機２を確認する旨の音声メッセージ（「携帯電話機を確認してください」）、緊急メールの本文の内容（「＊＊＊で災害発生」）などが含まれている。一方、ステップＳ３１４において制御部４１が、固定電話発信設定がＯＮ（有効）にされていないと判定した場合や、ステップＳ３１５において制御部４１が、発信先の固定電話機の電話番号が予め登録されていないと判定した場合、ステップＳ３１６乃至Ｓ３１８の処理はスキップされる。
【０１２２】
なお、固定電話発信設定に関しては、ユーザの好みに応じて適宜ＯＮまたはＯＦＦに切り替えることができるとともに、発信先に関しても変更することができるようにしてもよい。
【０１２３】
また、図２２のフローチャートに示されるように、ステップＳ３３６において固定電話機への発信動作開始後に、ユーザによって携帯電話機２が操作されることで緊急メールの確認操作がされた場合には、ステップＳ３４０において、制御部４１が、アンテナ３１および送信回路３５などを制御し、すでに開始されている固定電話機への発信動作を中止する。これにより、無駄な固定電話機への発信処理を回避することができる。
【０１２４】
なお、緊急メールが第２のタイプである場合、携帯電話機２にて緊急メール受信後に、自動的にブラウザ機能を起動し、携帯電話機２に予め登録されているＵＲＬの接続先であるサーバ７に接続するとともに、接続先のサーバ７から緊急メールの内容をダウンロードしてメインディスプレイ１７に表示するようにしてもよい。この場合における緊急メール受信処理は、図２３のフローチャートに示される。なお、図２３のステップＳ３５１およびステップＳ３５２の処理は、図６のステップＳ１およびＳ３の処理と同様であり、その説明は繰り返しになるので省略する。
【０１２５】
ステップＳ３５３において、制御部４１は、ブラウザ機能を起動し、ステップＳ３５４で予め登録されているＵＲＬの接続先であるサーバ７への接続を開始する。ステップＳ３５５において、制御部４１は、メインディスプレイ１７を制御し、公衆回線網４およびネットワーク６を介してサーバ７からダウンロードされてきた緊急メールの内容に関するページをメインディスプレイ１７に表示させる。
【０１２６】
これにより、緊急メールの通知内容をサーバ７にて集中管理することができるため、緊急時に緊急メールの「なりすまし」などを防止することができる。また、「なりすまし」メールに添付されたＵＲＬではなく、携帯電話機２に自体に予め登録されているＵＲＬを利用して接続するので、「なりすまし」メールが来たとしても、関係のないサーバやサイトへ接続することはない。
【０１２７】
緊急時に、緊急メールを表示するだけでなく、操作キー１４のうちの音声発信用のキーを押下することで、予め設定された発信先に対して音声発信またはＴＶ電話発信、メールの返信を行うようにしてもよい。この場合における緊急メール受信処理は、図２４のフローチャートに示される。なお、図２４のステップＳ３７１乃至Ｓ３７３の処理は、図６のステップＳ１乃至Ｓ３の処理と同様であり、その説明は繰り返しになるので省略する。
【０１２８】
ステップＳ３７４において、制御部４１は、操作キー１４のうちの音声発信用のキー（例えば例えば「１」のキーなど）を、操作キー１４の背後から発光素子５１によって点灯し、単独で照光する。ステップＳ３７５において、制御部４１は、ユーザにより操作キー１４のうちの音声発信用のキーが押下されることで、音声発信用のキーの押下を受け付ける。ステップＳ３７６において、制御部４１は、緊急メール受信時における簡易発信先が登録されているか否かを判定し、緊急メール受信時における簡易発信先が登録されていると判定した場合、アンテナ３１および送信回路３５などを介して簡易発信先へ音声発信を行う。
【０１２９】
なお、ＴＶ電話発信、メールの返信についても基本的には同様であるが、メールの返信を行う場合、予め返信内容を記憶部４２に保存するようにしてもよい。これにより、緊急メールが受信された場合に、受信側の携帯電話機２を保有するユーザから送信端末８を管理する自治体などに対して素早く電話によるサポートを行うことができる。
【０１３０】
さらに、緊急時に、携帯電話機２が圏外にいる場合や電源がＯＦＦにされている場合、緊急メールをユーザに確実に通知することが困難である。そこで、図２５に示されるように、ステップＳ４０１で携帯電話機２は、アンテナ３１及び受信回路３３などを介して、各自治体が管理する送信端末からの緊急メールを再配信にて受信し、受信された緊急メールは制御部４１に出力される。ステップＳ４０２において、制御部４１は、受信された緊急メールのタイムスタンプが一定時間を経過したか否かを判定し、ステップＳ４０２において制御部４１が、受信された緊急メールのタイムスタンプが一定時間（例えば２日間など）を経過したと判定した場合、すでに長時間が経過してしまった緊急メールは無意味であることから、制御部４１はステップＳ４０４で、緊急メールを破棄する。なお、破棄しなくても、緊急メール受信時の処理（通知処理や表示処理）を行わないで、通常のメールとして取り扱ってもよい。
【０１３１】
一方、ステップＳ４０２において制御部４１が、受信された緊急メールのタイムスタンプが一定時間を経過していないと判定された場合、制御部４１は、緊急メールの受信時における動作を開始し、緊急メールの表示処理などを実行する。なお、一定時間として例えば予め緊急メールに付加されている画面表示期限などを用いるようにしてもよい。これにより、緊急時に携帯電話機２が圏外にいる場合や電源がＯＦＦにされている場合に、その後に圏内に遷移したり、電源がＯＮにされたとき、緊急メールをユーザに確実に通知することができ、緊急メールの配信率を向上させることができる。
【０１３２】
なお、受信側の携帯電話機２における緊急メールに関する設定を一括して行うことができるようにしてもよい。例えば図２６に示されるように、ステップＳ４２１において、制御部４１は、アンテナ３１および送信回路３５などを介してサーバ７に接続し、ステップＳ４２２でサーバ７からダウンロードしたホームページをメインディスプレイ１７に表示させる。ステップＳ４２３において、制御部４１は、ユーザにより操作キー１４が操作されることにより、受信側の携帯電話機２における緊急メールに関する設定値の選択または設定値の入力を受け付ける。ステップＳ４２４において、制御部４１は、アンテナ３１および送信回路３５などを介して、受け付けられた設定値の選択または入力に関する情報をサーバ７に送信する。
【０１３３】
ステップＳ４２５において、携帯電話機２は、アンテナ３１および受信回路３３などを介してサーバ７から設定情報を受信し、受信された設定情報は制御部４１に入力される。ステップＳ４２６において、制御部４１は、受信された設定情報に基づいて、緊急メール受信時における動作を設定し、ステップＳ４２７で設定された緊急メール受信時における動作に関する設定データを記憶部４２に記憶させる。
【０１３４】
これにより、年配者のユーザなどであっても、細々した緊急メール受信時に関する設定を一括して簡単に設定することができる。
【０１３５】
次に、緊急時に携帯電話機２にて緊急メールが受信された後、一定時間以上経過してもユーザによる緊急メールの確認操作がなされない場合、携帯電話機２に関する位置情報を測位して、送信端末８にこの位置情報を逐次送信するようにしてもよい。この方法を用いた緊急メール受信処理は、図２７に示される。なお、図２７のステップＳ４４１、ステップＳ４４３乃至Ｓ４４４の処理は、図６のステップＳ１乃至Ｓ３の処理と同様であり、その説明は繰り返しになるので省略する。
【０１３６】
ステップＳ４４２において、制御部４１は、時計回路４７を用いて、送信端末８に携帯電話機２に関する位置情報を送信するためのタイマを起動し、予め設定された所定の時間のタイマによる計時を開始する。ステップＳ４４５において、制御部４１は、予め設定された所定の時間が経過することでタイマが満了したか否かを判定する。ステップＳ４４５において制御部４１が、予め設定された所定の時間が経過することでタイマが満了していないと判定した場合、制御部４１はステップＳ４４６で、ユーザによる緊急メールの確認操作（図９のステップＳ８４乃至Ｓ８６の処理）が行われたか否かを判定する。
【０１３７】
ステップＳ４４６において制御部４１が、ユーザによる緊急メールの確認操作（図９のステップＳ８４乃至Ｓ８６の処理）が行われていないと判定した場合、処理はステップＳ４４３に戻り、ステップＳ４４３以降の処理が繰り返し実行される。一方、ステップＳ４４６において制御部４１が、ユーザによる緊急メールの確認操作（図９のステップＳ８４乃至Ｓ８６の処理）が行われたと判定した場合、制御部４１はステップＳ４４７で、ＧＰＳ機能を起動し、携帯電話機２に関するＧＰＳ測位に基づく位置情報を取得する。ステップＳ４４８において、制御部４１は、アンテナ３１および送信回路３５などを介して、緊急メールに含まれる送信元アドレスに基づいて、送信端末８にＧＰＳ測位に基づく位置情報を送信する。
【０１３８】
一方、ステップＳ４４５において制御部４１が、予め設定された所定の時間が経過することでタイマが満了したと判定した場合、ステップＳ４４９乃至Ｓ４５０においてＧＰＳ測位に基づく位置情報の取得処理と送信処理が行われるとともに、ステップＳ４５１において制御部４１は、タイマを再設定し、タイマによる計時を再開する。ステップＳ４５２において、制御部４１は、ユーザによる緊急メールの確認操作（図９のステップＳ８４乃至Ｓ８６の処理）が行われたか否かを判定し、確認操作が行われていない場合、処理はステップＳ４４３に戻り、ステップＳ４４３以降の処理が繰り返し実行される。これにより、緊急メール受信後、ユーザによる緊急メールの確認操作が行われるまで、所定の時間ごとに携帯電話機２に関するＧＰＳ測位に基づく位置情報が送信端末８に送信される。
【０１３９】
これにより、携帯電話機２を家などに置き忘れたために確認操作ができない場合や、体調不良や怪我のために緊急メールに対して確認操作できない場合であっても、送信端末８に位置情報を送信し、送信端末８にてその位置情報を把握することができる。なお、送信端末８においては、図２８（Ａ）乃至（Ｃ）に示されるように、各ユーザの携帯電話機２からの送達確認メールが受信されているのか、現在の位置情報はどこであるかなどに関する情報が管理される。
【０１４０】
ところで、緊急メールの表示中に音声着信があると、緊急メールを十分に表示することができなくなってしまう。そこで、図２９（Ａ）に示される設定画面を用いて、緊急メール表示中に音声着信を許可する電話番号を予め設定するようにする。例えば図２９（Ａ）の場合、「お父さん」で「０８０−××××−５６７８」と「０９０−××××−４４４４」の電話番号からの音声着信が許可されると設定される。このとき、設定画面上で「する」というコマンドアイコンが選択されると、入力された電話番号が許可に設定される。
【０１４１】
また、緊急メール表示中に音声着信があった場合、図２９（Ｂ）に示されるように、メインディスプレイ１７に表示される表示画面が緊急メール用の表示領域と音声着信用の表示領域に分割される。以下、この方法を用いた緊急メール受信処理について説明する。
【０１４２】
図３０のフローチャートを参照して、図４に示される、受信側の携帯電話機２における緊急メール受信処理について説明する。なお、図３０のステップＳ４６１乃至Ｓ４６３の処理は、図６のステップＳ１乃至Ｓ３の処理と基本的には同様であり、その説明は繰り返しになるので省略する。
【０１４３】
ステップＳ４６４において、制御部４１は、緊急メールの表示中に音声通話の着信があったか否かを判定する。ステップＳ４６４において制御部４１が、緊急メールの表示中ではないときに音声通話の着信があったと判定された場合、制御部４１はステップＳ４６５で、通常の着信動作を行い、例えばバイブレータ５１による振動などを実行する。
【０１４４】
一方、ステップＳ４６５において制御部４１が、緊急メールの表示中に音声通話の着信があったと判定した場合、制御部４１はステップＳ４６６で、予め着信許可設定がなされていることで、緊急メール表示中の音声着信を許可するか否かを判定する。ステップＳ４６６において制御部４１が、緊急メール表示中の音声着信を許可しないと判定した場合、制御部４１はステップＳ４６９で、着信拒否動作を行う。その後、ステップＳ４７０において、制御部４１は、メインディスプレイ１７を制御し、緊急メールの表示を継続させる。
【０１４５】
一方、ステップＳ４６６において制御部４１が、緊急メール表示中の音声着信を許可すると判定した場合、制御部４１はステップＳ４６７で、予め登録されている着信許可リストに着信があった電話番号が存在するか否かを判定し、存在しない場合には、処理はステップＳ４６９に進む。存在した場合、制御部４１はステップＳ４６８で、メインディスプレイ１７を制御し、例えば図２９（Ａ）に示されるように、音声着信画面と緊急メール表示画面を分割して表示させるとともに、音声着信動作を行う。
【０１４６】
これにより、緊急メールの表示を優先させ、着信をできるだけ制限することができる。但し、家族からの特定の電話番号からの着信については緊急メールの表示中も許可することができる。これにより、緊急メール受信時における利便性を向上させることができる。
【０１４７】
なお、図３１に示されるように、緊急メール受信が音声通話中にあった場合、ステップＳ４８４にて制御部４１は、バイブレータ５１を制御し、特定の振動パターンで振動させるとともに、ステップＳ４８５にて記憶部４２に記憶されている受話音声に関するデータを読み出し、読み出された受話音声に関するデータに基づく受話音声（例えば「緊急メールです」など）を通話音声に重畳させた上でＰＣＭコーデック３８を介してレシーバ１８から出力させる。ステップＳ４８６において、制御部４１は、メインディスプレイ１７を制御し、例えば図２９（Ａ）に示されるように、音声着信画面と緊急メール表示画面を分割して表示させる。これにより、音声通話中に緊急メールの受信があったとしても、表示画面による確認に依存せずに、バイブレータや音声によってユーザに災害が発生したことを通知することができる。
【０１４８】
ところで、緊急メールの「なりすまし」を防止するために、予め２次元バーコードを用いたキー情報を送信端末８と携帯電話機２との間で共有しておき、緊急メールにキー情報を付加させるようにしてもよい。例えば図３２に示される緊急メール送信設定画面を用いて、キー情報の付加の有無あるいは手動か自動かなどに関する設定がされる。また、図３２の「キー登録」のコマンドアイコンが選択されることで、キー情報としての２次元バーコードを登録することができる。以下、緊急メール送信設定画面上での緊急メール送信設定処理について説明する。
【０１４９】
図３３のフローチャートを参照して、図１の送信端末８における緊急メール送信設定処理について説明する。
【０１５０】
ステップＳ５０１において、送信端末８は、例えば自治体に帰属するオペレータにより操作されることで、緊急メール送信設定処理を開始するとの指示が受け付けられたか否かを判定する。ステップＳ５０１において送信端末８が、緊急メール送信設定処理を開始するとの指示が受け付けられたと判定した場合、送信端末８はステップＳ５０２で、送信端末８に設けられたＣＣＤカメラ（図示せず）を起動し、ステップＳ５０３で２次元バーコードをＣＣＤカメラを用いて読み取り、ステップＳ５０４で読み取られた２次元バーコードを記憶する。ステップＳ５０５において、送信端末８は、２次元バーコードを用いたキー情報付加設定をＯＮにし、その設定に関するデータを記憶する。
【０１５１】
図３４のフローチャートを参照して、図４に示される、受信側の携帯電話機２における緊急メール受信設定処理について説明する。なお、図３４の緊急メール受信設定処理は、図３３に示される送信端末８での緊急メール送信設定処理と基本的には同様であり、その説明は繰り返しになるので省略する。
【０１５２】
次に、図３５のフローチャートを参照して、図１の送信端末８における緊急メール送信処理について説明する。
【０１５３】
ステップＳ５４１において、送信端末８は、キー情報付加設定がＯＮにされているか否かを判定する。ステップＳ５４１において送信端末８が、キー情報付加設定がＯＦＦにされていると判定した場合、送信端末８はステップＳ５４２で、通常の緊急メール（すなわち、キー情報が付加されていない緊急メール）をユーザの携帯電話機２に送信する。
【０１５４】
ステップＳ５４１において送信端末８が、キー情報付加設定がＯＮにされており、キー情報の自動付加に設定されていると判定した場合、送信端末８はステップＳ５４３で、記憶されている２次元バーコードを読み出し、ステップＳ５４４で読み出された２次元バーコードを緊急メールに付加し、ステップＳ５４５で２次元バーコードが付加された緊急メールをユーザの携帯電話機２に送信する。一方、ステップＳ５４１において送信端末８が、キー情報付加設定がＯＮにされており、キー情報の手動付加に設定されていると判定した場合、送信端末８はステップＳ５４６で、送信端末８に設けられたＣＣＤカメラ（図示せず）を起動し、ステップＳ５４７で２次元バーコードをＣＣＤカメラを用いて読み取る。その後、処理はステップＳ５４４にて緊急メールに２次元バーコードが付加される。
【０１５５】
なお、自動付加または手動付加の場合であっても、いくつか（例えば３つ以上の２次元バーコード）の中からランダムに決定される２次元バーコードを用いて緊急メールに付加するようにしてもよい。
【０１５６】
図３６のフローチャートを参照して、図４に示される、受信側の携帯電話機２における緊急メール受信処理について説明する。なお、図３６のステップＳ５６１は、図６のステップＳ１と同様であり、その説明は省略する。
【０１５７】
ステップＳ５６２において、制御部４１は、携帯電話機２にてキー情報付加設定がＯＮに設定されているか否かを判定する。ステップＳ５６２において制御部４１が、携帯電話機２にてキー情報付加設定がＯＮに設定されていないと判定した場合、処理はステップＳ５６８に進み、緊急メールの受信時における動作が行われる。
【０１５８】
一方、ステップＳ５６２において制御部４１が、携帯電話機２にてキー情報付加設定がＯＮに設定されていると判定した場合、制御部４１は、記憶部４２の特定領域に予め記憶されているキー情報としての２次元バーコードを読み出す。ステップＳ５６４において、制御部４１が、受信された緊急メールにキー情報としての２次元バーコードが付加されているか否かを判定する。付加されていないと判定された場合、制御部４１は、受信された緊急メールは「なりすまし」の可能性があるとして、緊急メール受信時における動作を行うことなく破棄する。付加されていると判定された場合、制御部４１はステップＳ５６６で、緊急メールからキー情報としての２次元バーコードを抽出し、ステップＳ５６７で抽出されたキー情報と読み出された２次元バーコードが一致するか（あるいは近似しているか）否かを判定する。一致しない場合、処理はステップＳ５６５に進み、受信された緊急メールを破棄する。一致した場合、処理はステップＳ５６８に進み、緊急メール受信時における動作が開始される。なお、破棄しなくても、緊急メール受信時の処理（通知処理や表示処理）を行わないで、通常のメールとして取り扱ってもよい。
【０１５９】
これにより、送信元アドレスなどを偽った緊急メールが携帯電話機２にて受信された場合に、緊急メール受信時における動作を行わないようにすることができ、緊急メールの「なりすまし」を好適に防止することができる。なお、キー情報として２次元バーコードを用いたが、このような場合に限られず、端末間で共有できる情報であればよい。
【０１６０】
なお、緊急メールを携帯電話機２にて受信した場合、その旨をユーザに通知する際、例えば外部アンテナを外部方向に伸ばすようにモータ（図示せず）などを用いて動かしてもよいし、ヒンジ部１１にモータ（図示せず）を設けて携帯電話機２の状態を閉じた状態から開いた状態に遷移させてもよい。図３７に示されるように、突起部１０２をモータやバネなどを用いて携帯電話機２の外部に突出させるようにしてもよい。
【０１６１】
なお、勿論、本明細書に記載した各処理は適宜組み合わせるようにしてもよい。これにより、各処理に対応する複合的な効果を生じさせることができる。
【０１６２】
なお、本発明は、携帯電話機２以外にも、ＰＤＡ（Personal Digital Assistant）、パーソナルコンピュータ、携帯型ゲーム機、携帯型音楽再生機、携帯型動画再生機、その他の携帯端末にも適用することができる。
【０１６３】
また、本発明の実施形態において説明した一連の処理は、ソフトウェアにより実行させることもできるが、ハードウェアにより実行させることもできる。
【０１６４】
さらに、本発明の実施形態では、フローチャートのステップは、記載された順序に沿って時系列的に行われる処理の例を示したが、必ずしも時系列的に処理されなくとも、並列的あるいは個別実行される処理をも含むものである。
【図面の簡単な説明】
【０１６５】
【図１】本発明に係るネットワークシステムの概略的な構成を示す図。
【図２】本発明に係る携帯端末に適用可能な携帯電話機の外観の構成を示す図。
【図３】本発明に係る携帯端末に適用可能な携帯電話機の他の外観の構成を示す図。
【図４】本発明に係る携帯端末に適用可能な携帯電話機の内部の構成を示すブロック図。
【図５】本発明に係る緊急メールの送受信に関する概念図。
【図６】図４の携帯電話機における緊急メール受信処理を説明するフローチャート。
【図７】図４の携帯電話機における他の緊急メール受信処理を説明するフローチャート。
【図８】図４の携帯電話機におけるメール受信処理を説明するフローチャート。
【図９】図４の携帯電話機における送達メール送信処理を説明するフローチャート。
【図１０】図４の携帯電話機における他の緊急メール受信処理を説明するフローチャート。
【図１１】図４の携帯電話機における他の緊急メール受信処理を説明するフローチャート。
【図１２】図４の携帯電話機における他の緊急メール受信処理を説明するフローチャート。
【図１３】図４の携帯電話機における他のメール受信処理を説明するフローチャート。
【図１４】図４の携帯電話機における他の緊急メール受信処理を説明するフローチャート。
【図１５】緊急メールに、緊急メール受信後に折り返しの音声電話またはＴＶ電話を行うか否かに関する文字列を付加し、受信側の携帯電話機にて緊急メールの受信後、自動的に送信端末に対して折り返しの音声電話またはＴＶ電話を行う際のシーケンス図。
【図１６】緊急メールに、緊急メール受信後に返信メールするか否かに関する文字列を付加し、受信側の携帯電話機にて緊急メールの受信後、自動的に送信端末に対して返信を行うシーケンス図。
【図１７】図１の送信端末における緊急メール送信処理を説明するフローチャート。
【図１８】図４の携帯電話機における他の緊急メール受信処理を説明するフローチャート。
【図１９】図４の携帯電話機における他の緊急メール受信処理を説明するフローチャート。
【図２０】図４の携帯電話機における他の緊急メール受信処理を説明するフローチャート。
【図２１】図４の携帯電話機における他の緊急メール受信処理を説明するフローチャート。
【図２２】図４の携帯電話機における他の緊急メール受信処理を説明するフローチャート。
【図２３】図４の携帯電話機における他の緊急メール受信処理を説明するフローチャート。
【図２４】図４の携帯電話機における他の緊急メール受信処理を説明するフローチャート。
【図２５】図４の携帯電話機における他の緊急メール受信処理を説明するフローチャート。
【図２６】図４の携帯電話機における緊急メール受信時動作設定処理を説明するフローチャート。
【図２７】図４の携帯電話機における他の緊急メール受信処理を説明するフローチャート。
【図２８】図１の送信端末にて管理される携帯電話機からの確認応答および位置情報を示す図。
【図２９】図４のメインディスプレイに表示される着信許可設定画面および緊急メール表示中における着信画面の表示例を示す図。
【図３０】図４の携帯電話機における他の緊急メール受信処理を説明するフローチャート。
【図３１】図４の携帯電話機における他の緊急メール受信処理を説明するフローチャート。
【図３２】図４のメインディスプレイに表示される緊急メール送信設定画面の表示例を示す図。
【図３３】図１の送信端末における緊急メール送信設定処理を説明するフローチャート。
【図３４】図４の携帯電話機における緊急メール受信設定処理を説明するフローチャート。
【図３５】図１の送信端末における他の緊急メール送信処理を説明するフローチャート。
【図３６】図４の携帯電話機における他の緊急メール受信処理を説明するフローチャート。
【図３７】緊急メール受信時における携帯電話機での物理的な変化を示す図。
【符号の説明】
【０１６６】
１…ネットワークシステム、２（２−１および２−２）…携帯電話機、３（３−１および３−３）…基地局、４…公衆回線網、５…アクセスサーバ、６…ネットワーク、７…サーバ、８…送信端末、１１…ヒンジ部、１２…第１の筐体、１３…第２の筐体、１４…操作キー、１５…マイクロフォン、１６…サイドキー、１７…メインディスプレイ、１８…レシーバ、１９a乃至１９d…磁気センサ、２０…ＣＣＤカメラ、２１…サブディスプレイ、３１…アンテナ、３２…アンテナ共用器（ＤＵＰ）、３３…受信回路（ＲＸ）、３４…周波数シンセサイザ（ＳＹＮ）、３５…送信回路（ＴＸ）、３６…ＣＤＭＡ信号処理部、３７…圧縮伸張処理部、３８…ＰＣＭコーデック、３９…受話増幅器、４０…送話増幅器、４１…制御部、４２…記憶部、４３…バッテリ、４４…電源回路、４５…外部メモリインタフェース、４６…メモリカード、４７…時計回路、４８…地上波ディジタルワンセグ受信部、４９…地デジ処理部、５０…スピーカ、５１…バイブレータ、５２…ＧＰＳ用アンテナ、５３…発光素子制御部、５４…発光素子、５５…外部ポート。
【図１】
2009278560.tif 000003
【図２】
2009278560.tif 000004
【図３】
2009278560.tif 000005
【図４】
2009278560.tif 000006
【図５】
2009278560.tif 000007
【図６】
2009278560.tif 000008
【図７】
2009278560.tif 000009
【図８】
2009278560.tif 000010
【図９】
2009278560.tif 000011
【図１０】
2009278560.tif 000012
【図１１】
2009278560.tif 000013
【図１２】
2009278560.tif 000014
【図１３】
2009278560.tif 000015
【図１４】
2009278560.tif 000016
【図１５】
2009278560.tif 000017
【図１６】
2009278560.tif 000018
【図１７】
2009278560.tif 000019
【図１８】
2009278560.tif 000020
【図１９】
2009278560.tif 000021
【図２０】
2009278560.tif 000022
【図２１】
2009278560.tif 000023
【図２２】
2009278560.tif 000024
【図２３】
2009278560.tif 000025
【図２４】
2009278560.tif 000026
【図２５】
2009278560.tif 000027
【図２６】
2009278560.tif 000028
【図２７】
2009278560.tif 000029
【図２８】
2009278560.tif 000030
【図２９】
2009278560.tif 000031
【図３０】
2009278560.tif 000032
【図３１】
2009278560.tif 000033
【図３２】
2009278560.tif 000034
【図３３】
2009278560.tif 000035
【図３４】
2009278560.tif 000036
【図３５】
2009278560.tif 000037
【図３６】
2009278560.tif 000038
【図３７】
2009278560.tif 000039